(57)【要約】【課題】温度制御された商品庫及び商品前出し陳列什器自体に負荷，劣化又は損傷を与えない、商品前出し陳列什器を提供する。【解決手段】左右の側壁に接合された２つのレール２ａ，２ａ，レール２ａ，２ａの前端付近下部に接合された前方ストッパー２ｃ，レール２ａ，２ａの後方上部に接合された後方ストッパー２ｄ，２ｄ及びレール２ａ，２ａに摺動自在に係合され、ばね６を介して前方ストッパー２ｃに連結された押し板７を有する、単一又は左右に連設された複数の商品収容部２を有する容器本体１の後方外側面に、複数のスペーサー４，・・・が接合されてなる商品前出し陳列什器であって、前方ストッパー２ｃの後端に緩衝材３が接合され、温度制御された商品庫の送風口を塞ぐことがなく、押し板７と前方ストッパーの衝突による衝撃が緩衝材３によって吸収される様にしてなる。【選択図】図１
0003129154.tif 000002
【実用新案登録請求の範囲】
【請求項１】
左右の側壁に接合された２つのレール，該レールの前端付近下部に接合された前方ストッパー，該レールの後方上部に接合された後方ストッパー及び該レールに摺動自在に係合され、ばねを介して前方ストッパーに連結された押し板を有する、単一又は左右に連設された複数の商品収容部を有する容器本体の後方外側面に、複数のスペーサーが接合されてなることを特徴とする商品前出し陳列什器。
【請求項２】
前方ストッパーの後端に、緩衝材が接合されてなることを特徴とする、請求項１に記載の商品前出し陳列什器。
【考案の詳細な説明】
【技術分野】
【０００１】
本考案は、主に、紙容器に入れられた飲料を初めとする加温又は冷却が必要な商品を陳列するのに適した、商品前出し陳列什器に関する。
【背景技術】
【０００２】
スーパーマーケットやコンビニエンスストアなどの小売店では、従来、商品の陳列は従業員が行っていた。同一商品ごとに整然と収容し、陳列点数が少なくなった商品は消費者が取り易い様に陳列棚の手前に並べることで（即ち、前出しすることで）、見栄えを良くすることができ、消費者の購買意欲を高めることにも繋がる。しかし、この陳列と前出しの作業は、扱う品目数又は商品点数が多いと従業員の負担が大きく、小売店にとっては人件費が嵩む要因となっていた。
【０００３】
この問題を解決するために、陳列と前出しの作業を自動化できる、様々な型の商品前出し陳列什器に関する発明又は考案が開示されている。
例えば、特許文献１には、商品を陳列するケースと、前記商品の押し出し方向に沿って形成されるレール部と、前記レール部に摺動可能に係合するレール摺接部を有する押し板と、前記押し板を前記レール部に沿って前記商品の押し出し方向へ付勢するばねとを有して構成される商品ディスペンサー装置が開示されている。該商品ディスペンサー装置には、前記レール部と連通すると共に、前記レール摺接部が挿通可能な着脱開口部が設けられている。更に、前記レール部の後方部に、前記押し板を係止するための係止段差を形成することも開示されている。
【０００４】
【特許文献１】登録実用新案第３１１８７００号公報
【考案の開示】
【考案が解決しようとする課題】
【０００５】
しかしながら、上記特許文献１記載の商品ディスペンサー装置を初めとする商品前出し陳列什器は、何れも略直方体状の形状であって、ほぼ平らな後方外側面を有する。
商品前出し陳列什器は、一般に、２以上の段を有する棚や商品庫において、段毎に載置されて用いられる。紙容器に入れられた飲料を初めとする、加温又は冷却が必要な商品は、温度制御された商品庫内に載置された商品前出し陳列什器に収容されて販売される。斯様な商品庫は、庫内を効率良く加温又は冷却し温度不均一を生じさせないために、通常、該商品庫の奥側内壁に設けられた送風口から送られる温風又は冷風によって温度制御されている。送風口の近くに平らな後方外側面を有する商品前出し陳列什器が存在すると、温風又は冷風が遮られ、収容した商品の温度制御効率が低下するだけでなく、商品庫に負荷が掛かり商品庫の劣化又は損傷を惹き起こす虞がある。
【０００６】
また、前記特許文献１には、押し板がばねの力によって他部材と衝突する際の衝撃を吸収することについては何ら開示されていない。特定の商品収容部に収容された全ての商品を取り出す際、商品前出し陳列什器の前方内壁や他の部材に、押し板が勢い良く当たってしまうことがあるが、それによって、意図せず不快な衝突音がしたり、従業員が手指を挟んで負傷したりする虞がある。更には、長期に亘る使用により、押し板と他部材との衝突が繰り返されることによって、押し板を初めとする商品前出し陳列什器の各部材が損傷を受ける虞がある。
【０００７】
上記の問題点に鑑み、本考案は、温度制御された商品庫及び商品前出し陳列什器自体に負荷，劣化又は損傷を与えない、商品前出し陳列什器を提供することを課題とする。即ち、商品庫の温風又は冷風を遮ることによる該商品庫の負荷を軽減し、押し板を初めとする各部材の衝突による負荷，劣化又は損傷を回避できる商品前出し陳列什器を提供することである。
【課題を解決するための手段】
【０００８】
上記課題を解決するために、本考案の請求項１記載の商品前出し陳列什器は、左右の側壁に接合された２つのレール，該レールの前端付近下部に接合された前方ストッパー，該レールの後方上部に接合された後方ストッパー及び該レールに摺動自在に係合され、ばねを介して前方ストッパーに連結された押し板を有する、単一又は左右に連設された複数の商品収容部を有する容器本体の後方外側面に、複数のスペーサーが接合されてなることを特徴としている。
【０００９】
請求項２に記載の考案は、請求項１に記載の商品前出し陳列什器であって、前方ストッパーの後端に、緩衝材が接合されてなることを特徴としている。
【考案の効果】
【００１０】
本考案の商品前出し陳列什器は、容器本体の後方外側面に複数のスペーサーが接合されていて、容器本体の後方外側面と、送風口が設けられた商品庫内壁との間隔は、前記スペーサーの奥行以上に保たれる。したがって、商品前出し陳列什器が送風口を塞ぐ虞が無く、商品前出し陳列什器に収容した商品の温度制御を効率的に行うことができ、また商品庫に対する負荷を軽減しその劣化や損傷を回避することもできる。
【００１１】
前方ストッパーの後端に緩衝材が接合されてなる本考案の商品前出し陳列什器は、押し板がばねの力によって勢い良く前方に動いたとしても、前方ストッパーに直接衝突することがなく、緩衝材によって衝撃が吸収されるため、不快な衝突音が発生する虞が無い。長期に亘る使用によって押し板と緩衝材との衝突が繰返されたとしても、該緩衝材によって衝撃が吸収されるから、押し板を初めとする商品前出し陳列什器の各部材が摩耗、劣化又は損傷を受けることを回避できる。
【考案を実施するための最良の形態】
【００１２】
以下に、本考案を実施するための最良の形態を、実施例を示す図面を参照して詳細に説明する。尚、本実施例に、本考案は限定されるものではない。
【実施例１】
【００１３】
図１は、実施例１の商品前出し陳列什器の全体斜視図である。図２は、実施例１の商品前出し陳列什器の上面図である。図３は、図２のＡ−Ａ断面図である。図４は、図２のＢ−Ｂ断面図である。
【００１４】
本考案に係る商品前出し陳列什器は、図１〜図４に示す様に、左右の側壁に接合された２つのレール２ａ，２ａ，レール２ａ，２ａの前端付近下部に接合された前方ストッパー２ｃ，レール２ａ，２ａの後方上部に接合された後方ストッパー２ｄ，２ｄ及びレール２ａ，２ａに摺動自在に係合され、ばね６を介して前方ストッパー２ｃに連結された押し板７を有する、単一又は左右に連設された複数の商品収容部２を有する容器本体１の後方外側面に、複数のスペーサー４，・・・が接合されている。前方ストッパー２ｃの後端には、緩衝材３が接合されている。
【００１５】
本考案の商品前出し陳列什器は、緩衝材３及びばね６を除き、容易に屈曲しない程度の剛性を有する材質で作製される。商品８，・・・を見栄え良く陳列するために、透明又はほぼ透明な合成樹脂が好適に用いられる。加温下に商品庫に入れられる場合には、熱によって変形又は破損し難い耐熱性の樹脂が好ましく、逆に冷蔵下又は冷凍下に商品庫に入れられる場合には、冷却によって変形又は破損し難い耐冷性の材質が好ましい。耐熱性と耐冷性を併せ持ち、入手が容易で安価な、ポリプロピレン，ポリエチレンテレフタレート，ポリスチレン，ポリメタクリル酸エステル，ポリカーボネート又はＡＢＳ樹脂等が好適に用いられ、１００℃を超える耐熱温度を有するポリプロピレン又はポリカーボネートが特に好適である。
【００１６】
容器本体１は、その外縁が、鉛直又はほぼ鉛直な前後左右の４平面からなる。容器本体１の内部は、前方内壁及び後方内壁に連設された１つ以上のほぼ鉛直な平面、即ち仕切り板１ａ，・・・で、左右方向に仕切られていても良い。
【００１７】
容器本体１が仕切り板１ａ，・・・で仕切られている場合、該仕切り板１ａ，・・・で仕切られた各空間を、商品収容部２，・・・と称する。容器本体１が仕切られていない場合、容器本体内部の単一の空間を、商品収容部２と称する。
１つの商品収容部２は、左右１対のレール２ａ，２ａ，前方ストッパー２ｃ及び左右１対の後方ストッパー２ｄ，２ｄを有し、前方ストッパー２ｃにばね６を介して押し板７が連設されていて、押し板７はレール２ａ，２ａに摺動自在に係合されている。
【００１８】
１つの商品収容部２に設けられた１対のレール２ａ，２ａは、その一方が商品収容部２の左側壁に、他方が右側壁に、それぞれ垂直又はほぼ垂直に接合された１対の略平板状の部材であって、レール２ａ，２ａには、押し板７をスムーズに摺動させるための係合部２ｂ，２ｂがそれぞれ載置されて設けられている。レール２ａ，２ａは、各々、前端は前方内壁に、後端は後方内壁に接合されていて、前方内壁及び後方内壁の何れとも、垂直又はほぼ垂直に接合されている。
レール２ａ，２ａは、商品収容部２の上下中央より下方で、且つレール２ａ，２ａと係合された押し板７が、本考案が載置される棚の上面と接触しない程度の高さ位置に設けられている。
【００１９】
係合部２ｂは、略三角柱状の形状であって、該略三角柱の１つの側面をレール２ａに接する様にして、１つのレール２ａ上に１つ載置されて接合されている。係合部２ｂは、その上端の辺が押し板７と接していれば、レール２ａ上の左右方向の何れの位置に接合されていても良いが、好ましくは、レール２ａ上の、商品収容部２の左右中央に近い端部に設けられる。係合部２ｂは、レール２ａに比して前後方向に若干短く形成されていて、その前端は商品収容部２の前方内壁に接しているが、後方ストッパー２ｄを設ける関係上、その後端は後方内壁に至らない。
【００２０】
略平板状の前方ストッパー２ｃは、商品収容部２の前端付近に設けられていて、レール２ａ，２ａの各々底面に接合されると共に、商品収容部２の前方内壁に接している。
前方ストッパー２ｃは、押し板７が、商品収容部２の前方内壁に当ることを防ぐ働きを持つ。商品収容部２から全ての商品８，・・・を取り出す際、ばね６によって前方へ引張られた押し板７と前方内壁との間に手指が挟まれ、従業員が負傷することを回避できる。
【００２１】
前方ストッパー２ｃの後端には、その左右両端を若干除いて、緩衝材３が接合されている。緩衝材３は、押し板７と接触する部分にのみ設けられていても良く、前方ストッパー２ｃの後端における左右方向全部に亘って設けられていても良い。
緩衝材３は弾性を有する材質で作製され、ポリウレタンや発泡ポリエチレン等の発泡樹脂，ＮＢＲやポリイソプレン等の合成ゴム，フッ素ゴム，シリコーンゴム，天然ゴムが好適である。安価に作製でき前方ストッパー２ｃと容易に接合できることから、発泡樹脂がより好適であって、中でも、ポリウレタンまたは発泡ポリエチレンが特に好適に用いられる。
【００２２】
緩衝材３は、商品収容部２から全ての商品８，・・・を取り出す際、ばね６の力によって前方へ引張られた押し板７が、前方ストッパー２ｃに意図せず衝突したときの衝撃を吸収する役割を持つ。衝突によって生じる不快な衝突音を抑制できるほか、長期に亘って衝突が繰り返さることによって起る、押し板７，前方ストッパー２ｃその他の部材の摩耗，劣化又は損傷を回避することもできる。
【００２３】
レール２ａの後端付近には、略平板状の後方ストッパー２ｄが、レール２ａに載置され接合されている。後方ストッパー２ｄは、係合部２ｂの後端に接する様に載置されていて、その後端は押し板７の奥行よりも広い間隔を空けて、商品収容部２の後方内壁と対向している。
本実施例においては、後方ストッパー２ｄの左右方向の幅はレール２ａの幅と等しく、上下方向の厚みは係合部２ｂより若干小さくされているが、必ずしもこれに限られず、レール２ａの幅より若干狭い幅を有してもよく、また、係合部２ｂと同一の厚みを有していても良い。
【００２４】
後方ストッパー２ｄは、押し板７を、商品収容部２の後端付近に係止する役割を持つ。押し板７が摺動自在の状態であると、商品８，・・・を商品収容部２に出し入れする際に、押し板７が邪魔になる虞がある。商品８，・・・を商品収容部２に出し入れする際、後方ストッパー２ｄの後端に押部７ａの下端付近を掛ける様にして押し板７を一時的に係止すると、商品８，・・・を容易に出し入れできる。
【００２５】
レール２ａ，・・・のうち、容器本体１の左右両端に設けられるものの下部には、レール２ａの前後方向全部に亘って、補強部材２ｅ，２ｅが設けられている。補強部材２ｅは、底面が直角三角形である略三角柱状の部材であって、互いに垂直な２側面が、夫々容器本体１の左右側面及びレール２ａの下面と接合されている。
【００２６】
容器本体１の後方外側面における左右両端付近には、左右１対のスペーサー４，４が接合されている。スペーサー４は略Ｌ字状の横断面を有していて、その１つの平面が容器本体１の後方外側面に接合されていて、他の平面は容器本体１の左右側面と平行又はほぼ平行となる様に設けられている。スペーサー４の下端は容器本体１の下端と等しいか又は若干高い位置に設けられていて、一方、スペーサー４の上端は容器本体１の上端より低くされていて段差が付けられている。
本実施例においては、略Ｌ字状の横断面を有する左右１対のスペーサー４，４が、容器本体１の後方外側面の左右方向ほぼ両端に接合されているが、必ずしもそれに限定されない。容器本体１の後方外側面に１つの端部が接合された平板状でも良く、容器本体１の後方外側面における左右１対のスペーサー４，４の間に、更に１つ以上のスペーサー４，・・・が接合されていても良い。
【００２７】
スペーサー４は、本考案を商品庫内の棚に載置する際、容器本体１の後方外側面と商品庫奥の内壁との間隔を、一定以上に保つ働きを有する。温度制御機能を有する商品庫においては、その奥の内壁に温風または冷風を吹き出す送風口が設けられていることが多いが、本考案は内壁に対してスペーサー４の奥行以上の距離を保って載置されるから、温風又は冷風が、本考案の後方外側面によって遮られることが回避される。温風又は冷風が遮られないから、商品８，・・・の加温又は冷却の効率が高く維持されるし、商品庫の送風機能に対しても過剰な負荷が掛からず、その負荷による商品庫の劣化や損傷も回避される。
好ましくは、スペーサー４を含む本考案の奥行が、それが載置される棚の奥行にほぼ等しく作製される。より多くの商品８，・・・を収容できる上、本考案をより安定に載置できるからである。
【００２８】
ラベル入れ５は、略Ｕ字型の側断面を有する部材であって、該ラベル入れ５の１平面が、容器本体１の前面の左右方向全部に亘って接合されている。
商品８，・・・の品目名や単価等を記載したラベルを、ラベル入れ５に挿入する。商品８，・・・に関する情報を提示して消費者の便益を図るほか、商品８，・・・の広告を提示して消費者の購買意欲を高揚させることも可能となる。
【００２９】
上述の容器本体１の４側面，仕切り板１ａ，・・・，レール２ａ，・・・，係合部２ｂ，・・・，前方ストッパー２ｃ，・・・，後方ストッパー２ｄ，・・・，補強部材２ｅ，２ｅ，スペーサー４，・・・，ラベル入れ５は、それぞれの部材が個別に作製された後に接着材等で接合されていても良く、２つ以上の隣接する部材が一体として成型されていても、全ての部材が一体として成型されていても良い。
【００３０】
各商品収容部２において、１つの前方ストッパー２ｃに対して１つの金属性のばね６が、該ばね６の一端に近い部分を螺子６ａによって螺合され、取り付けられている。ばね６の他端は、押し板７の押部７ａ及び背板７ｄ，７ｄに嵌め込む様に収容され、これによって押し板７は常に前方へ引張られている。
【００３１】
次いで、本考案の商品陳列什器における、押し板について説明する。
【００３２】
図５は、実施例１の押し板を示す前方視斜視図である。図６は、実施例１の押し板を示す後方視斜視図である。図７は、実施例１の押し板を示す側断面図である。
【００３３】
本考案の押し板７は、少なくとも、押部７ａ，底部７ｂ，７ｂ，脚部７ｃ，背板７ｄ，７ｄからなり、角孔７ｅが形成されている。
押し板７は、容易に屈曲されない程度の剛性を有する材質で作製され、好ましくは合成樹脂で作製される。耐熱性と耐冷性を併せ持ち、入手が容易で安価な、ポリプロピレン，ポリエチレンテレフタレート，ポリスチレン，ポリメタクリル酸エステル，ポリカーボネート又はＡＢＳ樹脂等が好適に用いられ、１００℃を超える耐熱温度を有するポリプロピレン又はポリカーボネートが特に好適である。
本実施例においては、押し板７の全ての部材が一体として成型されているが、必ずしもそれに限られず、押部７ａ，底部７ｂ，７ｂ，脚部７ｃ，背板７ｄ，７ｄの各部材が個別に作製された後に接合されていても良く、前記部材からなる群のうち隣接する２つ以上の部材が一体として成型されていても良い。
【００３４】
押部７ａは、略平板状に形成されていて、前出しの際、直接商品８，・・・に接する。押部７ａの上端における左右両端は丸みを帯びていて、商品８，・・・の出し入れに際して、使用者の手指が触れても擦過傷を負い難い形状とされている。
【００３５】
押部７ａの背面側下端には、左右１対の底部７ｂ，７ｂが、押部７ａに対して垂直又はほぼ垂直に接合されている。底部７ｂ，７ｂはほぼ長方形状の板状部材であって、底部７ｂ，７ｂの下面は、その前端から後端に向けて僅かに高くなる傾斜を有している。
商品８，・・・を収容するため押し板７をレール２ａ，２ａと係合させつつ後方へ摺動せしめる際、押部７ａが押されることによって押し板７の上部が後方へ傾き、それに伴って底部７ｂ，７ｂの下面後端の稜部が係合部２ｄ，２ｄと接触してしまい、摩擦によって押し板７が動き難くなる場合がある。しかし、本考案においては、底部７ｂ，７ｂの下面後端が前端よりも高くされていて、摩擦を受け難いから、押し板７を容易に摺動せしめることが可能である。
【００３６】
底部７ｂ，７ｂの左右中央側の端には、底部７ｂ，７ｂと垂直又はほぼ垂直に接合された略三角形状の背板７ｄ，７ｄが接合されていて、該背板７ｄ，７ｄの前端は押部７ａの背面に接合されている。背板７ｄ，７ｄは、押部７ａと底部７ｂ，７ｂとの接合を補強していて、また背板７ｄ，７ｄと押部７ａの間隙でばね収容部を形成している。背板７ｄ，７ｄの上端は、角や稜部が丸く面取りされていて、従業員の手指が触れても擦過傷を負い難い形状とされている。
【００３７】
底部７ｂ，７ｂの左右中央側から下方に向けて、脚部７ｃが接合されている。脚部７ｃは、左右１対の互いに平行な２鉛直面の下端付近が、それぞれ左右外側に向けてほぼ垂直に曲げられていて、更に該２鉛直面がほぼ水平な１つの面によって接合された形状である。脚部７ｃの前端の面は、押部７ａの前面と同一平面上にある。図６及び図７に示される様に、脚部７ｃは、底部７ｂ，７ｂの後端より若干手前に至る奥行を有していて、底部７ｂ，７ｂと共にレール２ａ，２ａに係合し、押し板７を摺動可とする働きを有する。
【００３８】
脚部７ｃの中央上部の、押部７ａと接する付近には、角孔７ｅが設けられている。角孔７ｅは、ばね６を挿通させるためのものであり、ばね６が意図せず押し板７から外れることを防ぐ。
【実施例２】
【００３９】
本考案の別の実施形態を、図８及び図９に基づいて説明する。
図８は、実施例２の押し板を示す前方視斜視図であり、図９は実施例２の押し板を示す側断面図である。
【００４０】
押し板７’は、実施例１に示される押し板７と同様に押部７ａ，底部７ｂ，７ｂ，脚部７ｃ，背板７ｄ，７ｄを有しているが、ばね６の挿通される角孔が形成されていない。本実施例においては、ばね６は、脚部７ｃの下端の凹みを通り、押し板７’の背面へと導かれる。背板７ｄ，７ｄ及び押部７ａとの間隙で、ばね６を収容している。
【００４１】
本実施例の押し板７’は、角孔７ｅが存在しないため、実施例１の押し板７より容易に作製可であり、且つ破損し難い。角孔が存在しないためにばね６が意図せず押し板７’から外れる虞はあるものの、レール２ａ，２ａに係止されつつ前後に摺動される通常の使用においては、ばね６が外れる可能性は低く、実用上問題となり難い。
【図面の簡単な説明】
【００４２】
【図１】実施例１の商品前出し陳列什器の全体斜視図である。
【図２】実施例１の商品前出し陳列什器の上面図である。
【図３】図２のＡ−Ａ断面図である。
【図４】図２のＢ−Ｂ断面図である。
【図５】実施例１の押し板を示す前方視斜視図である。
【図６】実施例１の押し板を示す後方視斜視図である。
【図７】実施例１の押し板を示す側断面図である。
【図８】実施例２の押し板を示す前方視斜視図である。
【図９】実施例２の押し板を示す側断面図である。
【符号の説明】
【００４３】
１  容器本体
１ａ  仕切り板
２  商品収容部
２ａ  レール
２ｂ  係合部
２ｃ  前方ストッパー
２ｄ  後方ストッパー
２ｅ  補強部材
３  緩衝材
４  スペーサー
５  ラベル入れ
６  ばね
６ａ  螺子
７，７’  押し板
７ａ  押部
７ｂ  底部
７ｃ  脚部
７ｄ  背板
７ｅ  角孔
８  商品
【図１】
0003129154.tif 000003
【図２】
0003129154.tif 000004
【図３】
0003129154.tif 000005
【図４】
0003129154.tif 000006
【図５】
0003129154.tif 000007
【図６】
0003129154.tif 000008
【図７】
0003129154.tif 000009
【図８】
0003129154.tif 000010
【図９】
0003129154.tif 000011